(57)【要約】【課題】電子機器において、ユーザに未確認情報を確認させる確実性を高める。【解決手段】情報処理を行う情報処理部と、通信装置と通信を行う通信部と、前記情報処理部の処理の内、ユーザが未確認の情報である未確認情報の確認を行う第１の操作に関する信号とは異なる第２の操作に関する信号を、前記通信装置から前記通信部を介して受信した場合、前記第２の操作の内容に基づき、前記未確認情報を前記通信装置に音声通知させる制御を行うか、あるいは画面表示させる制御を行うかの選択を行う制御部とを備えることを特徴とする電子機器。【選択図】図４
2015138538.tif 000002
【特許請求の範囲】
【請求項１】
情報処理を行う情報処理部と、
通信装置と通信を行う通信部と、
前記情報処理部の処理の内、ユーザが未確認の情報である未確認情報の確認を行う第１の操作に関する信号とは異なる第２の操作に関する信号を、前記通信装置から前記通信部を介して受信した場合、前記第２の操作の内容に基づき、前記未確認情報を前記通信装置に音声通知させる制御を行うか、あるいは画面表示させる制御を行うかの選択を行う制御部と
を備えることを特徴とする電子機器。
【請求項２】
前記電子機器は、記憶部をさらに備え、
前記第２の操作が、前記音声通知を確認できる状況または前記画面表示を確認できる状況に対応付けられたテーブルが前記記憶部に格納され、
前記制御部は、前記第２の操作の内容に基づき、前記テーブルを基に、前記未確認情報を前記通信装置に音声通知させる制御を行うか、あるいは画面表示させる制御を行うかの選択を行うことを特徴とする請求項１に記載の電子機器。
【請求項３】
前記制御部は、前記第２の操作が、音楽再生操作である場合、前記未確認情報を前記通信装置に音声通知させる制御を行うことを特徴とする請求項１または２いずれかに記載の電子機器。
【請求項４】
前記制御部は、前記第２の操作が、通話開始操作である場合、前記未確認情報を前記通信装置に音声通知させる制御を行うことを特徴とする請求項１乃至３のいずれか一項に記載の電子機器。
【請求項５】
前記制御部は、前記第２の操作が、画面表示を確認できる状況に対応付けられた操作である場合、前記未確認情報を前記通信装置に通知表示させる制御を行うことを特徴とする請求項１乃至４いずれか一項に記載の電子機器。
【請求項６】
前記制御部は、前記未確認情報を前記通信装置に音声通知させる制御を行うことを選択した場合、
前記第２の操作の内容が前記通信装置に音声を送信させるものである場合、
前記第２の操作に関する信号によって要求される信号の通信方式に基づき、前記未確認情報を示す音声信号を生成し、前記音声信号を通信装置へ送信することを特徴とする請求項１乃至５いずれか一項に記載の電子機器
【請求項７】
前記制御部は、前記未確認情報を前記通信装置に画面表示させる制御を行うことを選択した場合、
前記第２の操作の内容が音声を送信させるものである場合、
前記第２の操作に関する信号によって要求される信号の通信方式に基づき、前記未確認情報を示す表示信号を含む応答信号を生成し、前記応答信号を通信装置へ送信することを特徴とする請求項１乃至６いずれか一項に記載の電子機器。
【請求項８】
前記制御部は、前記未確認情報を前記通信装置に音声通知させる制御を行うか、あるいは画面表示させる制御を行うかの選択を行い、
前記通信装置と通信を行うことができる通信方式に定められた前記通信装置に強制的に、未確認情報を示す音声の出力または画面表示を行わせる信号を生成し、前記信号を送信することを特徴とする請求項１乃至７いずれか一項に記載の電子機器。
【請求項９】
ユーザが未確認の情報である未確認情報の確認を行う第１の操作に関する信号とは異なる第２の操作に関する信号を、通信装置から受信した場合、前記第２の操作の内容に基づき、前記未確認情報を前記通信装置に音声通知させるか、あるいは画面表示させるかの選択を行うことを特徴とする通知方法。
【請求項１０】
ユーザが未確認の情報である未確認情報の確認を行う第１の操作に関する信号とは異なる第２の操作に関する信号を、通信装置から受信した場合、前記第２の操作の内容に基づき、前記未確認情報を前記通信装置に音声通知させるか、あるいは画面表示させるかの選択を行うことを特徴とするプログラム。
【発明の詳細な説明】
【技術分野】
【０００１】
本技術は、電子機器、通知方法およびプログラムに関する。
【背景技術】
【０００２】
ユーザが利用する携帯情報端末、タブレットコンピュータ等の電子機器には、未確認情報をユーザに通知する機能を有するものがある。たとえば、ＬＥＤライトを一定周期で点滅させる機能や、ユーザが電子機器を操作して画面の表示を行った際に、通知に関するポップアップ表示を行う機能などによりユーザに未確認情報を確認させる。
【０００３】
未確認情報とは、ユーザが確認操作を必要とする情報であって、確認操作がなされていない情報のことである。たとえば、不在着信情報や、留守番電話の伝言情報、電子メールの未読情報、アプリケーションから通知される情報等である。
【０００４】
近年、携帯情報端末などの電子機器は、車載装置、音声通話機能を有するヘッドセット等の通信装置とデータの送受信を行う通信機能を有するものがある。このため、ユーザは携帯情報端末を直接操作せずに、通信装置側で音楽再生操作、音声通話操作等を行うことがある。
【０００５】
このような場合、ユーザは、携帯情報端末を直接操作しないため、携帯情報端末の未確認情報の通知に気が付かない場合があった。
【０００６】
特許文献１に、携帯情報端末と通信可能な車載装置であって、携帯情報端末と通信確立時に、携帯情報端末から、携帯情報端末にユーザが確認操作を行っていない未確認情報を取得した場合、画面上に表示する車載装置が開示されている。
【先行技術文献】
【特許文献】
【０００７】
【特許文献１】特開２０１０−７４２１５号公報
【特許文献２】特開２００３−２０８１８９号公報
【特許文献３】特開２００８−６５６０２号公報
【発明の概要】
【発明が解決しようとする課題】
【０００８】
ところが、上記の特許文献１には、パーソナルコンピュータ（ポータブル型）、車載装置などの通信装置が、携帯情報端末との通信確立時に、未確認情報を画面上に表示することが記載されている。しかし、仮に表示していたとしても、例えば車載装置の場合、ユーザが既に運転を開始している場合などでは、依然としてユーザは未確認情報を確認することはできない。この課題は通信装置が車載装置である場合に限定されるものではなく、通信装置がパーソナルコンピュータや留守番電話機などの場合に、ユーザが画面を見ていない状況のときに未確認情報を表示したとしても、同様の課題が発生してしまうことは明らかである。
【０００９】
本発明は、上記の問題点を鑑みたものであり、携帯情報端末の未確認情報を、携帯情報端末と通信を行う通信装置を介してユーザに未確認情報を確認させる確実性を高めることができる。
【課題を解決するための手段】
【００１０】
開示の技術の一観点によれば、情報処理を行う情報処理部と、通信装置と通信を行う通信部と、前記情報処理部の処理の内、ユーザが未確認の情報である未確認情報の確認を行う第１の操作に関する信号とは異なる第２の操作に関する信号を、前記通信装置から前記通信部を介して受信した場合、前記第２の操作の内容に基づき、前記未確認情報を前記通信装置に音声通知させる制御を行うか、あるいは画面表示させる制御を行うかの選択を行う制御部とを備えることを特徴とする電子機器が提供される。
【発明の効果】
【００１１】
開示の技術の一観点によれば、ユーザの状況に応じて、未確認情報の通知を行うことにより、より確実にユーザに未確認情報を確認させることのできる電子機器、通知方法およびプログラムを提供することができる。
【図面の簡単な説明】
【００１２】
【図１】図１は、第１の実施形態に係る携帯情報端末１００及び通信機器２００のハードウェア構成の概略図である。
【図２】図２は、携帯情報端末１００の機能ブロック図である。
【図３】図３は、ユーザが通信装置を用いて行う操作とユーザの状況との対応を示したテーブルの一例である。
【図４】図４は、第１の実施形態に係る携帯情報端末１００の情報処理を示すフローチャートである。
【図５】図５は、第１の実施形態に係る通信装置２００の情報処理を示すフローチャートの一例である。
【図６】図６は、第１の実施形態に係る携帯情報端末１００の情報処理を示すフローチャートの一例である。
【図７】図７は、第２の実施形態に係る携帯情報端末１００の情報処理を示すフローチャートである。
【図８】図８は、第２の実施形態に係る通信装置２００の情報処理を示すフローチャートである。
【発明を実施するための形態】
【００１３】
以下に、一つの実施形態による電子機器および通知方法の実施例を図面に基づいて詳細に説明する。なお、この実施例は、開示の技術を限定するものではない。
【００１４】
（近距離無線通信機能を搭載した携帯情報端末）
図１を参照して、近距離無線通信機能を搭載した携帯情報端末１００および近距離無線通信機能を搭載した通信機器２００を説明する。携帯情報端末１００は、たとえば、スマートフォンやフィーチャーフォンなどの携帯電話端末、タブレットコンピュータなどの携帯情報端末である。
【００１５】
図１は、第１の実施形態に係る携帯情報端末１００および通信機器２００のハードウェア構成の概略図である。図１に示すように、携帯情報端末１００は、ハードウェアの構成要素として、アンテナ１に接続されるＲＦ（Ｒａｄｉｏ  Ｆｒｅｑｕｅｎｃｙ）回路である無線通信部２と、ＣＰＵ３と、記憶部４と、タッチパネルやキーボードなどの入力部５と、ディスプレイなどの表示部６と、Ｂｌｕｅｔｏｏｔｈ（登録商標）通信を行う近距離無線通信部７を有する。これらのハードウェアモジュールは、たとえば、バスにより相互接続される。
【００１６】
記憶部４は、ＣＰＵ３により読みだされて実行される各種プログラムや各種プログラムが利用するデータを格納する。記憶部４としては、たとえば、ＲＡＭ（Ｒａｎｄｏｍ  Ａｃｃｅｓｓ  Ｍｅｍｏｒｙ）などを使用してもよい。各種プログラムとしては、たとえば、携帯情報端末１００が実行するアプリケーションプログラムやＯＳ（Ｏｐｅｒａｔｉｏｎ  Ｓｙｓｔｅｍ）などがある。表示部６は、ＣＰＵ３により制御され、ユーザに画面情報を表示する。
【００１７】
通信装置２００は、たとえば、携帯情報端末と非有線接続（無線接続）のタイプのヘッドセットやイヤフォン、またはカーナビゲーションなどである。通信装置２００は、ハードウェア構成要素として、Ｂｌｕｅｔｏｏｔｈ通信を行う近距離無線通信部８と、ＣＰＵ９と、ＣＰＵ９に接続され、音声処理を行う音声処理部１０と、スピーカなどの音声出力部１１を有する。携帯情報端末１００の近距離無線通信部７と通信装置２００の近距離無線通信部８は、Ｂｌｕｅｔｏｏｔｈコマンドを相互通信することにより、音楽再生指示、音楽再生データ送受信、音声通話指示、音声通話データ送受信、情報通知指示等を行う。
【００１８】
（携帯情報端末１００のソフトウェア構成図）
図２は、携帯情報端末１００の機能ブロック図である。
【００１９】
図２に示すように、本実施形態に係る携帯情報端末１００は、音楽の再生、停止などの処理を行う音楽再生処理部１２と、音声通信に関する処理を行う音声通話処理部１３と、電子メールの送受信に関する処理を行うメール処理部１４と、音声通話に関する不在着信情報や、留守番電話の伝言情報、電子メールの未読情報、その他アプリケーションから通知される情報等で、ユーザが確認操作を必要とする情報であって、確認操作がなされていない未確認情報の通知処理を行う未確認情報通知部１５と、音楽再生処理部１２、音声通話処理部１３、メール処理部１４および未確認情報通知部１５の制御を行う制御部１６を有する。これらの機能はＣＰＵ３が記憶部４に格納された各種プログラムを実行することによって実現される。また、音楽再生処理に用いられる音楽データや、不在着信情報や伝言情報、未読メール情報、その他のアプリケーションからの通知情報を格納される記憶部１９と、制御部１６からの指示を受け付け、ＢＴ通信に係る処理を行うＢＴ通信部２０と、制御部１６からの指示を受け付け、音声データや音楽データを処理する音声処理部２１とを有する。
【００２０】
（未確認情報通知方法の説明）
本件は、ユーザの状況に対応して、未確認情報の通知を行うことにより、より確実にユーザに未確認情報を確認させるものである。携帯情報端末などの電子機器および通信装置を使用するユーザの状況と、ユーザが行う操作とを対応付け、特定の操作が行われた場合に、未確認情報を通知する。
【００２１】
図３は、ユーザが通信装置を用いて行う操作とユーザの状況との対応を示したテーブルの一例である。
【００２２】
図３は、通信装置として、リモコン機能付きヘッドセットおよびイヤフォン、カーナビゲーションなどの車載装置、親子電話機のコードレス子機を想定している。
【００２３】
リモコン機能付きヘッドセットおよびイヤフォンを用いて、ユーザが行う操作として、音楽の再生に関する操作と音声通話に関する操作がある。音楽再生に関する操作とは、音楽データの再生、前の曲や再生中の曲、または次の曲の頭出しなどである。再生操作は、ユーザが音楽を聴くために行う操作であり、ヘッドセットやイヤフォンのスピーカから出力される音を聴こうとしている状況である可能性が高い。前の曲や再生中の曲、または次の曲の頭出し操作は、ヘッドセットやイヤフォンに備えられた表示画面の表示を確認しようとしている状況である可能性が高い。
【００２４】
音声通話に関する操作とは、通話開始操作や電話帳閲覧操作などである。通話開始操作は、ユーザが通話の相手の声を聴くために行う操作であり、ヘッドセットやイヤフォンのスピーカから出力される音を聴こうとしている状況である可能性が高い。電話帳閲覧操作は、ヘッドセットやイヤフォンに備えられた表示画面の表示を確認しようとしている状況である可能性が高い。
【００２５】
その他の操作として、ヘッドセット及びイヤフォン本体の電源を入れる操作がある。その他の操作は、たとえば、電源操作など、ユーザがスピーカから出力される音を聴こうとしている状況、または画面の表示を確認できる状況と対応づけられない操作である。
【００２６】
カーナビゲーションなどの車載装置を用いてユーザが行う操作として、音楽再生に関する操作、音声通話に関する操作、カーナビゲーション機能に関する操作がある。音楽再生に関する操作の再生操作は、ヘッドセットの場合と同様に、スピーカから出力される音を聴こうとしている状況である可能性が高い。前の曲や再生中の曲、または次の曲の頭出し操作は、車載装置に備えられた表示画面の表示を確認しようとしている状況である可能性が高い。
【００２７】
音声通話に関する操作もヘッドセットの場合と同様に、通話開始操作は、ユーザが通話の相手の声を聴くために行う操作であり、車内に備えられたスピーカから出力される音を聴こうとしている状況である可能性が高い。電話帳閲覧操作は、操作パネル付近に備えられた表示画面の表示を確認しようとしている状況である可能性が高い。
【００２８】
カーナビゲーション機能に関する操作として、ルート案内、周辺検索など目的地設定操作などがあり、操作パネルが画面上または画面付近に設けられているため、画面の表示を確認できる可能性が高いと考えられる。その他の操作として、カーナビゲーション本体の電源を入れる操作がある。その他の操作は、たとえば、電源操作など、ユーザがスピーカから出力される音を聴こうとしている状況、または画面の表示を確認できる状況と対応づけられない操作である。
【００２９】
コードレス子機を用いてユーザが行う操作として、音声通話に関する操作、電話帳閲覧操作やダイヤル操作などがある。通話開始などの音声通話に関する操作は、スピーカから出力される音を聴こうとしている状況である可能性が高い。電話帳閲覧操作は、コードレス子機に備えられた表示画面の表示を確認しようとしている状況である可能性が高い。
【００３０】
ダイヤル操作では、画面の表示を確認できる可能性が高いと考えられる。その他の操作として、コードレス子機本体の電源を入れる操作がある。その他の操作は、たとえば、電源操作など、ユーザがスピーカから出力される音を聴こうとしている状況、または画面の表示を確認できる状況と対応づけられない操作である。
【００３１】
上記のように、ユーザの状況と、ユーザが行う操作とを対応付け、特定の操作が行われた場合に、未確認情報を通知することにより、より確実にユーザに未確認情報を確認させることができる。
【００３２】
未確認情報通知方法について、図４および図５を用いて説明する。
【００３３】
図４は、第１の実施形態に係る携帯情報端末１００の情報処理を示すフローチャートの一例である。図５は、第１の実施形態に係る通信装置２００の情報処理を示すフローチャートの一例である。
【００３４】
図４に示す第１の実施形態では、携帯情報端末１００に対し、ユーザが操作する通信装置２００から音楽再生に関する操作（再生操作）がなされた場合に、携帯情報端末１００のユーザが確認操作をしていない音声通話の不在着信、未読メールやアプリケーションの通知情報の受信などの未確認情報がある場合に、携帯情報端末１００が通信装置２００に未確認情報を示す音声出力を行わせる情報処理を説明する。
【００３５】
図３に示すように、音楽再生に関する操作（再生操作）は、ユーザがスピーカから出力される音を聴こうとしている状況であると考えられるため、当該操作を受けて、未確認情報を音声出力することにより、未確認情報をユーザに通知を確認させる確率を大きくすることができる。
【００３６】
図４に示すように、ＢＴ通信部２０は、通信装置２００と接続を確立し、ペアリングを行い、Ｂｌｕｅｔｏｏｔｈコマンド（以下、ＢＴコマンド）の受信登録などを行う通信処理の初期化を行う（Ｓ１０１）。このとき、携帯情報端末１００および通信装置２００が対応するＢｌｕｅｔｏｏｔｈプロファイル（以下、ＢＴプロファイル）を確認し、対応するプロファイルに規定されたＢＴコマンドを用いる。ＢＴプロファイルには、電話の発着信や通話を行なうために用いられるＨａｎｄｓ−Ｆｒｅｅ  Ｐｒｏｆｉｌｅ（ＨＦＰ）、携帯情報端末とヘッドセット間などで、音声入出力を行なうために用いられるＨｅａｄＳｅｔ  Ｐｒｏｆｉｌｅ（ＨＳＰ）、無線接続経由で、インターネットや他のダイアルアップサービスにアクセスするために使用されるＤｉａｌ−Ｕｐ  Ｎｅｔｗｏｒｋ  ｐｒｏｆｉｌｅ（ＤＵＮ）、電話帳のデータやスケジュールデータなどを交換するために使用されるＯｂｊｅｃｔ  Ｐｕｓｈ  Ｐｒｏｆｉｌｅ（ＯＰＰ）、ステレオ音質のオーディオデータをストリーミング配信するために用いられるＡｄｖａｎｃｅｄ  Ａｕｄｉｏ  Ｄｉｓｔｒｉｂｕｔｉｏｎ  Ｐｒｏｆｉｌｅ（Ａ２ＤＰ）、操作対象装置をリモコンからリモート操作するために用いられ、曲名などのテキスト情報を送受信に用いられるＡｕｄｉｏ／Ｖｉｄｅｏ  Ｒｅｍｏｔｅ  Ｃｏｎｔｒｏｌ  Ｐｒｏｆｉｌｅ（ＡＶＲＣＰ）などがある。
【００３７】
次に、ＢＴ通信部２０は、通信装置２００からのＢＴコマンドを受信する（Ｓ１０２）。通信装置２００の情報処理は図５を用いて後述する。
【００３８】
ここで、制御部１６は、ＢＴ通信部２０によって受信したＢＴコマンドが音楽再生に関する操作（再生操作）によるコマンドであるか否かを判定する（Ｓ１０３）。
【００３９】
ここで、携帯情報端末１００と通信を行う通信装置２００が予め登録された特定の識別情報を有する通信装置か否かを判定し、予め登録された特定の識別情報を有する通信装置であれば、次の処理を行うこととしてもよい。識別情報は、たとえば、ＢＴＡＤＤＲ（Ｂｌｕｅｔｏｏｔｈ  ＡＤＤＲｅｓｓ）など、機器固有の識別情報である。
【００４０】
制御部１６は、受信したＢＴコマンドが音楽再生に関する操作（再生操作）によるコマンドであると判定した場合、未確認情報通知部１５に、音声通話処理部１３およびメール処理部１４に対し、未確認情報の有無を確認させ、未確認情報を取得させる（Ｓ１０４）。未確認情報通知部１５は、音声通話に関する不在着信情報の件数、不在着信の発信元情報、留守番電話の伝言情報の件数、メールに関する電子メールの未読件数、未読メールの発信元情報などを取得する。
【００４１】
制御部１６は、未確認情報があると判定した場合（Ｓ１０５）、音楽再生処理部１２に対し、一時停止指示を行う（Ｓ１０６）。
【００４２】
次に、制御部１６は、ＢＴ通信部２０に、通信装置２００へ、取得した未確認情報を基に未確認情報を示す音声を出力させる（Ｓ１０７）。
【００４３】
ここで、通信装置２００へ取得した未確認情報を示す音声を出力させる方法を説明する。通常、ＢＴ通信部２０が、再生操作によるＢＴコマンドを受信すると、音楽データを、再生操作によるＢＴコマンドのＢＴプロファイルに応じたデータを生成し、通信装置２００へ送信する。
【００４４】
このとき、未確認情報通知部１５は、受信したＢＴコマンドのＢＴプロファイルに応じて、未確認情報を示す音声データを生成することにより、ＢＴ通信部２０が、音楽データと同様に通信装置２００へ送信し、通信装置２００に未確認情報を示す音声データを出力させることができる。なお、ＢＴプロファイルの種別によっては、音声データに限らず、動画データを用いてもよい。ユーザが画面表示を確認できる状況であると対応付けられた操作が行われた場合に、未確認情報を示す表示を行わせる方法については、第２の実施形態を用いて説明する。
【００４５】
次に、制御部１６は、音楽再生処理部１２へ再生を再開する指示を行う（Ｓ１０８）。音楽再生処理部１２は、通信装置２００から受信したＢＴコマンドを基に、音楽再生に関する処理を行い、音楽データの送信等を行う。ここで、ステップＳ１０６において一時停止指示を行わず、通信装置２００において、音楽再生と未確認情報を示す音声データを重畳して再生させてもよい。
【００４６】
ステップＳ１０３において、ＢＴコマンドが音楽再生に関する操作（再生操作）によるコマンドでない場合、制御部１６は、再びＢＴコマンドを受信するまで待機する。対象となるＢＴコマンドは、図３に示した、「その他、電源操作など」である。
【００４７】
ステップＳ１０５において、未確認情報がないと判定された場合、制御部１６は、再びＢＴコマンドを受信するまで待機する。
【００４８】
ここでは、音楽再生に関する操作（再生操作）以外で、音楽データの再生、停止、早戻し、早送り、音量調節などを用いてもよい。
【００４９】
図５に示す通信装置２００の情報処理を示すフローチャートを説明する。
【００５０】
ＢＴ通信を行う近距離無線通信部８は、携帯情報端末１００と接続を確立し、ペアリングを行い、ＢＴコマンドの受信登録などを行う通信処理の初期化を行う（Ｓ２０１）。このとき、携帯情報端末１００および通信装置２００が対応するＢＴプロファイルを確認し、対応するプロファイルに規定されたＢＴコマンドをデータの送受信に用いる。
【００５１】
ＣＰＵ９は、ユーザの音楽再生に関する操作（再生操作）を受け付け（Ｓ２０２）、近距離無線通信部８に、音楽再生に関する操作（再生操作）に関するＢＴコマンドを携帯情報端末１００へ送信する（Ｓ２０３）。
【００５２】
近距離無線通信部８は、携帯情報端末１００のステップＳ１０７によって送信された音声データを受信し（Ｓ２０４）、音声処理部１０は受信した音声データを用いて未確認情報を示す音声を音声出力部１１に出力させる（Ｓ２０５）。
【００５３】
続いて、近距離無線通信部８は、携帯情報端末１００の音楽再生に関する処理に基づき、送信された音楽データを受信し（Ｓ２０６）、音声処理部１０は、受信した音楽データを用いて音楽データを音声出力部１１に再生出力させる（Ｓ２０７）。
【００５４】
図３に示すように、音楽再生に関する操作（再生操作）は、ユーザがスピーカから出力される音を聴こうとしている状況であるため、未確認情報をユーザに通知を確認させる確率を大きくすることができる。
【００５５】
図６は、第１の実施形態に係る携帯情報端末１００の情報処理を示すフローチャートの一例である。
【００５６】
図６に示す第１の実施形態では、携帯情報端末１００に対し、ユーザが操作する通信装置２００から音声通話に関する操作（通話開始操作）がなされた場合に、携帯情報端末携帯情報端末１００のユーザが確認操作をしていない音声通話の不在着信、未読メールやアプリケーションの通知情報の受信などの未確認情報がある場合に、携帯情報端末１００が通信装置２００に未確認情報を示す音声出力を行わせる情報処理を説明する。
【００５７】
図３に示すように、音声通話に関する操作（再生操作）は、ユーザがスピーカから出力される音を聴こうとしている状況であると考えられるため、当該操作を受けて、未確認情報を音声出力することにより、未確認情報をユーザに通知を確認させる確率を大きくすることができる。
【００５８】
図６に示すように、ＢＴ通信部２０は、通信装置２００と接続を確立し、ペアリングを行い、ＢＴコマンドの受信登録などを行う通信処理の初期化を行う（Ｓ１１１）。このとき、携帯情報端末１００および通信装置２００が対応するＢＴプロファイルを確認し、対応するプロファイルに規定されたＢＴコマンドをデータの送受信に用いる。
【００５９】
次に、ＢＴ通信部２０は、通信装置２００からのＢＴコマンドを受信する（Ｓ１１２）。
【００６０】
ここで、制御部１６は、ＢＴ通信部２０によって受信したＢＴコマンドが通話開始操作に関するコマンドであるか否かを判定する（Ｓ１１３）。
【００６１】
制御部１６は、受信したＢＴコマンドが通話開始操作に関するコマンドであると判定した場合、未確認情報通知部１５に、音声通話処理部１３およびメール処理部１４に対し、未確認情報の有無を確認させ、未確認情報を取得させる（Ｓ１１４）。未確認情報通知部１５は、音声通話に関する不在着信情報の件数、不在着信の発信元情報、留守番電話の伝言情報の件数、メールに関する電子メールの未読件数、未読メールの発信元情報などを取得する。
【００６２】
制御部１６は、未確認情報があると判定した場合（Ｓ１１５）、制御部１６は、ＢＴ通信部２０に、通信装置２００へ、取得した未確認情報を基に未確認情報を示す音声を出力させる（Ｓ１１６）。
【００６３】
このとき、未確認情報通知部１５は、受信したＢＴコマンドのＢＴプロファイルに応じて、未確認情報を示す音声データを生成することにより、ＢＴ通信部２０が、通話開始時に用いられる音声データと同様に通信装置２００へ送信し、通信装置２００に未確認情報を示す音声データを出力させることができる。通話再生操作による要求に応答する前に、音声データを通信装置２００へ送信する。制御部１６は、音声出力に続き、音声通話に関する処理を行う。
【００６４】
ステップＳ１１３において、ＢＴコマンドが通話開始操作に関するコマンドでない場合、制御部１６は、再びＢＴコマンドを受信するまで待機する。
【００６５】
ステップＳ１１５において、未確認情報がないと判定された場合、制御部１６は、再びＢＴコマンドを受信するまで待機する。
【００６６】
音声通話開始操作に関するコマンドを基に未確認情報を示す音声を出力することにより、より確実に未確認情報をユーザに通知を確認させることができる。また、音声通話開始前に、不在着信等があったことをユーザに確認させることができる。
【００６７】
図７は、第２の実施形態に係る携帯情報端末１００の情報処理を示すフローチャートの一例である。図８は、第２の実施形態に係る通信装置２００の情報処理を示すフローチャートの一例である。
【００６８】
図７に示す第２の実施形態では、携帯情報端末１００に対し、ユーザが操作する通信装置２００において、ユーザが画面表示を確認できる状況であると対応付けられた操作が行われた場合に、携帯情報端末携帯情報端末１００のユーザが確認操作をしていない音声通話の不在着信、未読メールやアプリケーションの通知情報の受信などの未確認情報がある場合に、携帯情報端末１００が通信装置２００に未確認情報を示す表示を行わせる情報処理を説明する。ユーザが画面表示を確認できる状況であると対応付けられた操作とは、図３で示した、画面表示を確認できる状況と対応付けられた、音楽データの再生、前の曲や再生中の曲、または次の曲の頭出しや、電話帳閲覧操作、ルート案内、周辺検索など目的地設定操作などである。
【００６９】
図７に示すように、ＢＴ通信部２０は、通信装置２００と接続を確立し、ペアリングを行い、ＢＴコマンドの受信登録などを行う通信処理の初期化を行う（Ｓ１２１）。このとき、携帯情報端末１００および通信装置２００が対応するＢＴプロファイルを確認し、対応するプロファイルに規定されたＢＴコマンドをデータの送受信に用いる。
【００７０】
次に、ＢＴ通信部２０は、通信装置２００からのＢＴコマンドを受信する（Ｓ１２２）。通信装置２００の情報処理は図８を用いて後述する。
【００７１】
ここで、制御部１６は、ＢＴ通信部２０によって受信したＢＴコマンドが、ユーザが画面表示を確認できる状況であると対応付けられた操作に関するコマンドであるか否かを判定する（Ｓ１２３）。
【００７２】
制御部１６は、受信したＢＴコマンドが、ユーザが画面表示を確認できる状況であると対応付けられた操作関するコマンドであると判定した場合、未確認情報通知部１５に、音声通話処理部１３およびメール処理部１４に対し、未確認情報の有無を確認させ、未確認情報を取得させる（Ｓ１２４）。未確認情報通知部１５は、音声通話に関する不在着信情報の件数、不在着信の発信元情報、留守番電話の伝言情報の件数、メールに関する電子メールの未読件数、未読メールの発信元情報などを取得する。
【００７３】
制御部１６は、未確認情報があると判定した場合（Ｓ１２５）、ＢＴ通信部２０に、通信装置２００へ、取得した未確認情報を基に未確認情報を示す表示用データを出力させる（Ｓ１２６）。
【００７４】
ここで、通信装置２００において、音楽データの再生、前の曲や再生中の曲、または次の曲の頭出しや、電話帳閲覧操作、ルート案内、周辺検索など目的地設定操作などがなされた場合は、未確認情報を示す音声データの再生出力やテキストデータの表示を待ち受けている状態でない場合がある。
【００７５】
このとき、未確認情報通知部１５は、たとえば、ＨＦＰに基づいた着信イベント通知のように強制的に通信装置２００に音声出力やテキスト表示を行わせるＢＴコマンドを生成することにより、通信装置２００に音声出力やテキスト表示を行わせる。
【００７６】
ステップＳ１２３において、ＢＴコマンドが音楽再生に関するコマンドでない場合、制御部１６は、再びＢＴコマンドを受信するまで待機する。
【００７７】
ステップＳ１２５において、未確認情報がないと判定された場合、制御部１６は、再びＢＴコマンドを受信するまで待機する。
【００７８】
図８に示す通信装置２００の情報処理を示すフローチャートを説明する。
【００７９】
ＢＴ通信を行う近距離無線通信部８は、携帯情報端末１００と接続を確立し、ペアリングを行い、ＢＴコマンドの受信登録などを行う通信処理の初期化を行う（Ｓ２０８）。
【００８０】
ＣＰＵ９は、携帯情報端末１００において、未確認情報画面表示に対応付けられた操作を受け付け（Ｓ２０９）、近距離無線通信部８に、未確認情報画面表示に対応付けられた操作に関するＢＴコマンドを携帯情報端末１００へ送信する（Ｓ２１０）。
【００８１】
近距離無線通信部８は、携帯情報端末１００のステップＳ１１４によって送信された未確認情報を通知する表示用データを受信し（Ｓ２１１）、未確認情報を通知する表示を出力させる（Ｓ２１２）。
【００８２】
続いて、近距離無線通信部８は、当該操作に対する携帯情報端末１００からの応答データを受信し（Ｓ２１３）、応答データを用いた処理を行う（Ｓ２１４）。
【００８３】
図３に示すように、未確認情報画面表示に対応付けられた操作は、ユーザが画面表示を見ることができる状況で行われるため、未確認情報をユーザに通知を確認させる確率を大きくすることができる。
【００８４】
なお、第１の実施形態および第２の実施形態では、携帯電話端末と近距離無線通信を行う通信装置を前提として説明したが、本発明はこれに限定されるものではなく、携帯情報端末と有線接続されて、情報通信を行う通信装置も、携帯電話端末の画面を見ずに携帯電話端末の操作を行い得るという点で本発明の対象であることは言うまでもない。
【符号の説明】
【００８５】
１：アンテナ
２：無線通信部
３：ＣＰＵ
４：記憶部
５：入力部
６：表示部
７：近距離無線通信部
８：近距離無線通信部
９：ＣＰＵ
１０：音声処理部
１１：音声出力部
１２：音楽再生処理部
１３：音声通話処理部
１４：メール処理部
１５：未確認情報通知部
１６：制御部
１９：記憶部
２０：ＢＴ通信部
２１：音声処理部
【図１】
2015138538.tif 000003
【図２】
2015138538.tif 000004
【図３】
2015138538.tif 000005
【図４】
2015138538.tif 000006
【図５】
2015138538.tif 000007
【図６】
2015138538.tif 000008
【図７】
2015138538.tif 000009
【図８】
2015138538.tif 000010